(57)【要約】【課題】設備の分離膜面積を低減できかつランニングコストも抑えることが可能なガス分離膜システムを提供する。【解決手段】  このガス分離膜システムは、ａ：第１のガス分離膜ユニット３１と、ｂ：第２のガス分離膜ユニット３２と、ｃ：第３のガス分離膜ユニット３３と、ｄ：第４のガス分離膜ユニット３４と、ｅ：前記原料ガスライン１１に配置され原料ガスを昇圧させる昇圧手段２１と、を備え、（ｉ）前記第３のガス分離膜ユニットの透過ガスが前記原料ガスライン１１のうち前記昇圧手段よりも上流側に再循環され、（ｉｉ）前記第４のガス分離膜ユニットの非透過ガスも前記原料ガスラインのうち前記昇圧手段１１よりも上流側に再循環されるように構成されている。【選択図】図１
2020163250.tif 000002
【特許請求の範囲】
【請求項１】
少なくとも高透過性ガスと低透過性ガスを含む２種以上のガスを含む原料ガスからガス分離膜を用い所望のガスを分離回収するガス分離膜システムであって、
ａ：原料ガスラインから原料ガスが供給されるように構成され、そのガスをガス分離膜で分離することで透過ガスと非透過ガスとが得られる第１のガス分離膜ユニットと、
ｂ：前記第１のガス分離膜ユニットの非透過ガスが供給されるように構成され、そのガスをガス分離膜で分離することで透過ガスと非透過ガスとが得られる第２のガス分離膜ユニットと、
ｃ：前記第２のガス分離膜ユニットの非透過ガスが供給されるように構成され、そのガスをガス分離膜で分離することで透過ガスと非透過ガスとが得られる第３のガス分離膜ユニットと、
ｄ：前記第２のガス分離膜ユニットの透過ガスが再圧縮されることなく供給されるように構成され、そのガスをガス分離膜で分離することで透過ガスと非透過ガスとが得られる第４のガス分離膜ユニットと、
ｅ：前記原料ガスラインに配置され原料ガスを昇圧させる昇圧手段と、
を備え、前記第３のガス分離膜ユニットの非透過ガスを製品ガスとして取り出すシステムであって、
（ｉ）前記第３のガス分離膜ユニットの透過ガスが前記原料ガスラインのうち前記昇圧手段よりも上流側に再循環され、（ｉｉ）前記第４のガス分離膜ユニットの非透過ガスも前記原料ガスラインのうち前記昇圧手段よりも上流側に再循環されるように構成されている、
ガス分離膜システム。
【請求項２】
前記原料ガスが、少なくとも、高透過性ガスである二酸化炭素と低透過性ガスであるメタンガスとを含む、請求項１に記載のガス分離膜システム。
【請求項３】
前記第３のガス分離膜ユニットの非透過ガス中の高透過性ガス成分が３％以下である、請求項１または２に記載のガス分離膜システム。
【請求項４】
前記第１のガス分離膜ユニットの透過ガスに含まれる高透過性ガスの流量が、原料ガス中の透過性ガスの流量の２０％以上である、請求項１〜３のいずれか一項に記載のガス分離膜システム。
【請求項５】
前記各ガス分離膜ユニットのガス分離膜の分離度である、二酸化炭素とメタンの透過速度比が６０以上である、請求項１〜４のいずれか一項に記載のガス分離膜システム。
【請求項６】
前記第１のガス分離膜ユニットの透過側のライン、
前記第３のガス分離膜ユニットの透過側のライン、および
前記第４のガス分離膜ユニットの透過側のライン
の少なくとも１つに減圧手段が設置され、これにより、ガス分離膜の透過側圧力が大気圧以下に保持される、請求項１〜５のいずれか一項に記載のガス分離膜システム。
【請求項７】
前記第１のガス分離膜ユニット、および／または、前記第４のガス分離膜ユニットの透過ガス中から高透過性ガスを回収し、有効利用をする、請求項１〜６のいずれか一項に記載のガス分離膜システム。
【請求項８】
前記ガス分離膜がポリイミド中空糸からなる、請求項１〜７のいずれか一項に記載のガス分離膜システム。
【請求項９】
昇圧手段が多段からなる、請求項１〜８のいずれか一項に記載のガス分離膜システム。
【発明の詳細な説明】
【技術分野】
【０００１】
本発明は、ガス分離膜を利用して混合ガスからメタン等を分離回収するガス分離膜システムに関し、特には、設備の分離膜面積を低減できかつランニングコストも抑えることが可能なガス分離膜システムに関する。
【背景技術】
【０００２】
異なる２種類以上のガスを含む混合ガスから所定のガスを分離する方法として、膜分離法が知られている。この方法では、ガス分離膜を利用し、透過ガスまたは非透過ガスを回収することにより、目的ガスである高純度の高透過性ガスまたは高純度の低透過性ガスを得ることができる。
【０００３】
混合ガスに含まれる各ガスの膜に対する単位膜面積・単位時間・単位分圧差あたりの透過体積である透過速度はＰ′（単位は×１０−５ｃｍ３（ＳＴＰ）／ｃｍ２・ｓｅｃ・ｃｍＨｇ）で表すことができる。また、膜のガス分離選択性は、高透過性ガスの透過速度と低透過性ガスの透過速度との比（高透過性ガスの透過速度／低透過性ガスの透過速度）で表すことができる。
【０００４】
一般に、ガス分離膜は、ガス分離選択性の高い膜はガス（特に高透過性ガス）の透過速度が低く、反対にガス（特に高透過性ガス）の透過速度が高い膜はガス分離選択性が低い。したがって、一段のガス分離膜を用いて混合ガスから低透過性ガスを回収する場合、回収するガスの純度が一定のときには、ガス分離選択性が高い膜を用いた場合、回収率は高くなる。しかし、ガスの透過速度が低いため、膜面積を大きくするか、又は運転圧力を高くする必要がある。一方、ガスの透過速度が高い膜は、膜面積を大きくしたり、運転圧力を高くしたり必要はないが、ガス分離選択性が低いため、回収率が低くなる。
【０００５】
ガス分離膜は、一例として、少なくともガス入口、透過ガス排出口、非透過ガス排出口が備えられている容器内に分離膜を収容してなるガス分離膜モジュールとして使用される。ガス分離膜は、そのガス供給側とガス透過側の空間が隔離されるように、容器内に装着されている。ガス分離膜システムにおいては、所要の膜面積とするために、一般に複数のガス分離膜モジュールを並列に組み合わせたガス分離膜ユニットとして使用される。ガス分離膜ユニットを構成する複数のガス分離膜モジュールは、ガス入口、非透過ガス排出口、透過ガス排出口を共用するため、ガス分離膜ユニットは、実質的に膜面積が大きいガス分離膜モジュールとして作用する。
【０００６】
目的とする低透過性ガスを高純度かつ高回収率で回収するために、このガス分離膜ユニットを多段に備えたガス分離膜システムを用いる方法が知られている。多段のシステムのガス分離膜システムとして例えば特許文献１などがある。この分離膜システムでは、３段の分離膜と１台の圧縮機（昇圧手段）によって構成されている。図３は、３段のシステムの一例であり、第１、第２および第３の分離膜ユニット２１０、２２０、２３０を有している。
【先行技術文献】
【特許文献】
【０００７】
【特許文献１】特許５８５８９９２号
【発明の概要】
【発明が解決しようとする課題】
【０００８】
特許文献１の構成では、１段目の透過ガスを再圧縮することなく３段目の供給ガスとするため、１段目あるいは３段目の分離膜の圧力差が得にくく、分離効率が低下し、システム全体の膜面積が増加する（それに伴い初期設備の増大を招く）問題があった。
【０００９】
そこで本発明の目的は、設備の分離膜面積を低減できかつランニングコストも抑えることが可能なガス分離膜システムを提供することにある。
【課題を解決するための手段】
【００１０】
上記課題を解決するための本発明の一形態に係るガス分離膜システムは下記の通りである：
少なくとも高透過性ガスと低透過性ガスを含む２種以上のガスを含む原料ガスからガス分離膜を用い所望のガスを分離回収するガス分離膜システムであって、
ａ：原料ガスラインから原料ガスが供給されるように構成され、そのガスをガス分離膜で分離することで透過ガスと非透過ガスとが得られる第１のガス分離膜ユニットと、
ｂ：前記第１のガス分離膜ユニットの非透過ガスが供給されるように構成され、そのガスをガス分離膜で分離することで透過ガスと非透過ガスとが得られる第２のガス分離膜ユニットと、
ｃ：前記第２のガス分離膜ユニットの非透過ガスが供給されるように構成され、そのガスをガス分離膜で分離することで透過ガスと非透過ガスとが得られる第３のガス分離膜ユニットと、
ｄ：前記第２のガス分離膜ユニットの透過ガスが再圧縮されることなく供給されるように構成され、そのガスをガス分離膜で分離することで透過ガスと非透過ガスとが得られる第４のガス分離膜ユニットと、
ｅ：前記原料ガスラインに配置され原料ガスを昇圧させる昇圧手段と、
を備え、前記第３のガス分離膜ユニットの非透過ガスを製品ガスとして取り出すシステムであって、
（ｉ）前記第３のガス分離膜ユニットの透過ガスが前記原料ガスラインのうち前記昇圧手段よりも上流側に再循環され、（ｉｉ）前記第４のガス分離膜ユニットの非透過ガスも前記原料ガスラインのうち前記昇圧手段よりも上流側に再循環されるように構成されている。
【００１１】
「ガス分離膜システム」とは、ここでは、複数のガス分離膜ユニットを備え、原料ガスから所望のガスを分離回収するシステムのことをいう。本明細書において単に分離膜システムということもある。
【発明の効果】
【００１２】
本発明によれば、設備の分離膜面積を低減できかつランニングコストも抑えることが可能なガス分離膜システムを提供することができる。
【図面の簡単な説明】
【００１３】
【図１】本発明の一実施形態に係る分離膜システムの構成を模式的に示す図である。
【図２】分離膜モジュールの構成を模式的に示す図である。
【図３】従来のシステムの一例を示す模式図である。
【発明を実施するための形態】
【００１４】
以下、本発明の一形態について図面を参照しながら説明する。なお、以下のガス分離膜システムは混合ガスから所望のガスを分離回収するシステムである。ここで、「混合ガス」は、分離対象となる異なる２種類のガスであるガスＡおよびガスＢを少なくとも含むものである。ガスＡおよびガスＢの種類に特に制限はないが、一例でメタンと二酸化炭素であってもよい。
【００１５】
１．構成
本実施形態のガス分離膜システムは、図１に示すように、４つのガス分離膜ユニット３１〜３４を備えている。具体的には、第１のガス分離膜ユニット３１、第２のガス分離膜ユニット３２、第３のガス分離膜ユニット３３および第４のガス分離膜ユニット３４を備えている。各ガス分離膜ユニット３１〜３４は、一例としていずれも同様の構成となっている。もっとも、これに限定されるものではなく、すべてのまたは一部のガス分離膜ユニット３１〜３４を異なる構成としてもよい。
【００１６】
（ガス分離膜ユニット）
ガス分離膜ユニット３１〜３４（以下、符号を付さずに表記することもある）としては、例えば、図２に示すような、中空糸膜からなりガス選択透過性を備えたガス分離膜１３０を有するガス分離膜モジュール１４０を利用できる。多数のガス分離膜１３０の束はケーシング１３１内に収められる。本実施形態のガス分離膜ユニット３１〜３４は、ガス分離膜モジュール１４０を１つ用いたものであるか、または、このモジュール１４０を複数並列してなるものである。
【００１７】
ケーシング１３１は、対向する二面が開口して開口部１３２を形成している。この開口部１３２は、ガス分離膜１３０をケーシング１３１内に挿入するためのものである。ガス分離膜１３０は、ケーシング１３１の各開口部１３２の付近において中空糸膜の各端部が開口する（すなわち外部に露出する）ように、ケーシング１３１内に収容される。中空糸膜の延びる方向であるＹ方向の両端部の位置において、ガス分離膜１３０の端部は、管板１３３、１３４によってケーシング１３１の内壁に固定されている。
【００１８】
ケーシング１３１の各開口部１３２は、蓋体１３５、１３６によって閉塞されている。蓋体１３５にはガス入口１３７が設けられ、蓋体１３６には非透過ガス排出口１３８が設けられている。分離対象となる混合ガスは、蓋体１３５のガス入口１３７からモジュール内（すなわちユニット内）に導入される。導入されたガスのうち、ガス分離膜１３０を透過したガスは、ケーシング１３１に設けられた透過ガス排出口１３９からモジュール外（すなわちユニット外）に排出される。一方、ガス分離膜１３０を透過しなかった非透過ガスは、蓋体１３６の非透過ガス排出口１３８からモジュール外（すなわちユニット外）に排出される。また、場合によっては、ケーシング１３１にパージガスの供給口（図示せず）を設けてもよい。
【００１９】
以上、図２のガス分離膜モジュール１４０を例に挙げて説明したが、当然ながら、本発明は他の構成の分離膜モジュールにも応用可能であり、例えば、シェルフィード型のモジュールやスパイラル型モジュールにも応用できる。
【００２０】
（流路構成）
再び図１を参照する。第１のガス分離膜ユニット３１のガス入口には、原料である混合ガス源（図示せず）からの原料混合ガスを第１のガス分離膜ユニット３１へ供給するためのガス供給ライン１１が連結されている。ガス供給ライン１１の途中には、昇圧手段２１が配置されている。第１昇圧手段２１は、混合ガス源から供給された混合ガスおよび同ライン１１に再循環（詳細後述）させたガスを加圧する目的で設置されている。なお、図１では、符号１１が第１昇圧手段２１の上流および下流に付されているが、別々の流路として、例えば、符号１１ａ（上流側）、符号１１ｂ（下流側）というように捉えてもよい。
【００２１】
第１のガス分離膜ユニット３１と、第２のガス分離膜ユニット３２とは直列に接続されている。具体的には、第１のガス分離膜ユニット３１と第２ガス分離膜ユニット３２とは、第１のガス分離膜ユニット３１の非透過ガス排出口と第２のガス分離膜ユニット３２のガス入口とをライン１２ａによって連結することで接続されている。他方、ガス分離膜ユニット３１のガス分離膜３１ｍを透過したガスは、透過ガス排出口を通ってライン１２ｂ経由で外部に送出される。
【００２２】
第２のガス分離膜ユニット３２へは、ライン１２ａ経由でガスが供給される。供給されたガスは、同ユニット内を通過し、ガス分離膜３２ｍを透過しなかったガスは非透過ガス排出口を通って、ライン１３ａ経由で、第３のガス分離膜ユニット３３へと送られる。他方、ガス分離膜ユニット３２のガス分離膜３２ｍを透過したガスは、透過ガス排出口を通って、ライン１３ｂ経由で、第４のガス分離膜ユニット３４へと送られる。
【００２３】
第３のガス分離膜ユニット３３へ供給されたガスは、同ユニット内を通過し、ガス分離膜３３ｍを透過しなかったガスは非透過ガス排出口を通って、ライン１４ａ経由で、最終的な製品ガスとして取り出される。他方、ガス分離膜ユニット３３のガス分離膜３３ｍを透過したガスは、透過ガス排出口を通って、ライン１４ｂ経由で、下記へと送られる。すなわち、この例では、ライン１４ｂは第１のガス分離膜ユニット３１の上流のガス供給ライン１１に（より具体的には昇圧手段２１の上流側）に戻されるように構成されている。
【００２４】
第４のガス分離膜ユニット３４へ供給されたガスは、同ユニット内を通過し、ガス分離膜３４ｍを透過しなかったガスは非透過ガス排出口を通って、ライン１５ａ経由で、下記へと送られる。すなわち、この例では、ライン１５ａは第１のガス分離膜ユニット３１の上流のガス供給ライン１１に（より具体的には昇圧手段２１の上流）に戻されるように構成されている。ガス分離膜ユニット３４のガス分離膜３４ｍを透過したガスは、透過ガス排出口を通って、ライン１５ｂ経由で外部に送出される。
【００２５】
なお、上記説明における「ライン」とはガスの流路を意味し、例えば中空の管部材で構成される。
【００２６】
（分離膜）
ガス分離膜ユニットのガス分離膜としては、特に限定されるものではないが、例えば下記のようなものを利用可能である。ガス分離膜は、供給される混合ガスや目的とする製品ガスの種類に応じて適宜選択できる。ガス分離膜としては、当該技術分野においてこれまで用いられているものと同様のものを特に制限なく用いることができる。例えばシリコーン樹脂、ポリブタジエン樹脂などのゴム状ポリマー材料、ポリイミド、ポリエーテルイミド、ポリアミド、ポリアミドイミド、ポリスルホン、ポリカーボネート、セルロースなどのガラス状ポリマー材料、及びゼオライトなどのセラミックス材料が挙げられる。またガス分離膜は、均質膜、均質層と多孔層とからなる非対称膜、微多孔質膜などいずれであってもよい。ガス分離膜のケーシング内への収納形態も、プレートアンドフレーム型、スパイラル型、中空糸型などいずれであってもよい。特に好適に用いられるガス分離膜は、均質層の厚さが１ｎｍ以上２００ｎｍ以下であり、多孔質層の厚さが２０μｍ以上２００μｍ以下の非対称構造を持ち、内径が３０μｍ以上５００μｍ以下程度である芳香族ポリイミドの中空糸ガス分離膜である。
【００２７】
２．動作
以上の構成を有する本実施形態のガス分離膜システムの動作について説明する。
【００２８】
分離対象となる混合ガスは、ガス供給ライン１１経由で第１のガス分離膜ユニット３１に供給される。供給に先立ち、混合ガスは、昇圧手段２１によって加圧される。加圧された混合ガスが第１のガス分離膜ユニット３１に供給されると、ガス分離膜に対する透過速度の相違に起因して、ガスが分離される。すなわち、ガス分離膜を透過したガスである透過ガスと、ガス分離膜を透過しなかったガスである非透過ガスとに分離される。便宜的に「ガスＡ」を、ガス分離膜に対する透過速度の大きいガス、つまり高透過性ガスとし、「ガスＢ」を、ガス分離膜に対する透過速度の小さいガス、つまり低透過性ガスとする。非透過ガスは、原料である混合ガスに比べてガスＢが濃縮されたものである。一方、透過ガスは、原料である混合ガスに比べてガスＡが濃縮されたものである。本実施形態では、ガスＡを二酸化炭素、ガスＢをメタンとする。
【００２９】
第２のガス分離膜ユニット３２の非透過ガス（メタンが富化されている）は、次いで、第３のガス分離膜ユニット３３に供給され、ここで、ガス分離膜３３ｍによって二酸化炭素が分離され、より濃縮された状態で、ライン１４ａ経由で製品ガスとして取り出される。透過ガスは、記述のとおり、ライン１４ｂ経由で昇圧手段２１の上流に再循環される。
【００３０】
一方、第２のガス分離膜ユニット３２の透過ガスは、第４のガス分離膜ユニット３４に供給され、ここで、ガス分離膜３４ｍによって二酸化炭素が分離される。ここでは、非透過ガスが、ライン１５ａ経由で昇圧手段２１の上流に再循環される。
【実施例】
【００３１】
以下、実施例により本発明をさらに詳細に説明する。なお、かかる実施例により本発明の範囲制限されるわけではない。以下の説明では、比較例との対比の都合上、第２のガス分離膜ユニット３２〜第４のガス分離ユニット３４をそれぞれ１段目、２段目、３段目と表すものとする。ガス分離膜ユニット３１を「０」段目とする。
【００３２】
［実施例］
図１のガス分離膜システムを用いて、二酸化炭素およびメタンを含む混合ガスの分離を行った。このシステムは、製品ガスのＣＯ２濃度３％を目指すものである。表１は、各段のガス分離膜ユニットのモジュール本数を示している。表２は、０段目(ガス分離膜ユニット３１)への供給ガス流量（つまり昇圧手段２１で圧縮したガス流量）を示すとともに、２段目(ガス分離膜ユニット３３)の非透過ガスのＣＯ２濃度およびＣＨ４回収率を示している。なお、ＣＨ４回収率は、原料ガス中のＣＨ４ガス流量に対する、２段目の非透過ガス中のＣＨ４流量の割合を示す。
【００３３】
【表１】
2020163250.tif 000003
【００３４】
【表２】
2020163250.tif 000004
【００３５】
ガス分離膜ユニット３１〜３４として、ポリイミド中空糸膜から構成されるガス分離膜をケース内に収容するモジュールを用いた。モジュールの膜面積は１６．１７ｍ２／本であり、分離膜の分離度（ＣＯ２とＣＨ４の透過速度比）は６２であった。原料ガスは５００Ｎｍ３／ｈで供給し、ガス組成はＣＯ２／ＣＨ４＝４０／６０％であった。各ガス分離膜ユニットの圧力に関し、昇圧手段２１の吐出圧力を１４ｂａｒＧ、１段目透過圧を４ｂａｒＧ（０段目、２段目、３段目透過圧は０ｂａｒＧ）とした。
【００３６】
各実施例において、２段目ガス分離膜ユニットの非透過ガスのＣＯ２濃度が３％、メタン回収率が９８％程度となるように各段のモジュール本数を調整している（表１参照）。
【００３７】
［比較例１〜３］
比較例としては、図１の構成から０段目の分離膜ユニット３１を省略し、ガス供給ライン１１を介して直接ガス分離膜ユニット３２に原料ガスを供給するようにしたシステムを利用した。実施例と同様に、２段目ガス分離膜ユニットの非透過ガスのＣＯ２濃度が３％、メタン回収率が９８％程度となるように各段のモジュール本数を調整した結果を下記表３に示す。
【００３８】
【表３】
2020163250.tif 000005
【００３９】
上記の結果から明らかなように、各実施例のガス分離膜システムは、比較例１〜３と比較して、メタン回収率が約９８％のときに、昇圧手段２１で昇圧するガス流量が小さいことから昇圧手段の消費動力を抑え、ランニングコストを低廉にすることができるとともに、また、モジュールの合計本数も少なくできる（膜面積を減らすことができる）ことが判る。
【００４０】
（付記）
本出願は少なくとも以下の発明を開示する（括弧内の符号は本発明を何ら限定するものではない）：
１．少なくとも高透過性ガスと低透過性ガスを含む２種以上のガスを含む原料ガスからガス分離膜を用い所望のガスを分離回収するガス分離膜システムであって、
ａ：原料ガスライン（１１）から原料ガスが供給されるように構成され、そのガスをガス分離膜で分離することで透過ガスと非透過ガスとが得られる第１のガス分離膜ユニット（３１）と、
ｂ：上記第１のガス分離膜ユニットの非透過ガスが供給されるように構成され、そのガスをガス分離膜で分離することで透過ガスと非透過ガスとが得られる第２のガス分離膜ユニット（３２）と、
ｃ：上記第２のガス分離膜ユニットの非透過ガスが供給されるように構成され、そのガスをガス分離膜で分離することで透過ガスと非透過ガスとが得られる第３のガス分離膜ユニット（３３）と、
ｄ：上記第２のガス分離膜ユニットの透過ガスが再圧縮されることなく供給されるように構成され、そのガスをガス分離膜で分離することで透過ガスと非透過ガスとが得られる第４のガス分離膜ユニット（３４）と、
ｅ：上記原料ガスライン（１１）に配置され原料ガスを昇圧させる昇圧手段（２１）と、
を備え、前記第３のガス分離膜ユニットの非透過ガスを製品ガスとして取り出すシステムであって、
（ｉ）上記第３のガス分離膜ユニットの透過ガスが前記原料ガスライン（１１）のうち前記昇圧手段よりも上流側に再循環され、（ｉｉ）前記第４のガス分離膜ユニットの非透過ガスも前記原料ガスラインのうち前記昇圧手段（２１）よりも上流側に再循環されるように構成されている、ガス分離膜システム。
【００４１】
２．上記原料ガスが、少なくとも、高透過性ガスである二酸化炭素と低透過性ガスであるメタンガスとを含む、上記記載のガス分離膜システム。
【００４２】
３．上記第３のガス分離膜ユニットの非透過ガス中の高透過性ガス成分が３％以下である、上記記載のガス分離膜システム。
【００４３】
４．上記第１のガス分離膜ユニットの透過ガスに含まれる高透過性ガスの流量が、原料ガス中の透過性ガスの流量の２０％以上である、上記記載のガス分離膜システム。
【００４４】
５．上記各ガス分離膜ユニットのガス分離膜の分離度である、二酸化炭素とメタンの透過速度比が６０以上である、上記記載のガス分離膜システム。
【００４５】
６．上記第１のガス分離膜ユニットの透過側のライン、
上記第３のガス分離膜ユニットの透過側のライン、および
上記第４のガス分離膜ユニットの透過側のライン
の少なくとも１つに減圧手段が設置され、これにより、ガス分離膜の透過側圧力が大気圧以下に保持される、上記記載のガス分離膜システム。
【００４６】
７．上記第１のガス分離膜ユニット、および／または、上記第４のガス分離膜ユニットの透過ガス中から高透過性ガスを回収し、有効利用をする、上記記載のガス分離膜システム。
【００４７】
８．上記ガス分離膜がポリイミド中空糸からなる、上記記載のガス分離膜システム。
【００４８】
９．昇圧装置が多段からなる、上記記載のガス分離膜システム。
【００４９】
なお、本出願は、物の発明として開示した上記の技術的思想を方法の発明として表現した内容をも開示する。
【符号の説明】
【００５０】
１１  ガス供給ライン
１２ａ〜１５ａ  ライン
１２ｂ〜１５ｂ  ライン
２１  昇圧手段
３１〜３４  ガス分離膜ユニット
１３０  ガス分離膜
１３１  ケーシング
１３２  開口部
１３３、１３４  看板
１３５、１３６  蓋体
１４０  ガス分離膜モジュール
【図１】
2020163250.tif 000006
【図２】
2020163250.tif 000007
【図３】
2020163250.tif 000008